【事件の表示】
　特許第２９４６２３５号「パチンコ機」の請求項１に係る特許に対する特許異議の申立てについて、次のとおり決定する。
【結　論】
　訂正を認める。
　特許第２９４６２３５号の請求項１に係る特許を取り消す。
【理　由】
１・訂正の適否についての判断
　平成１３年７月１６日付けの訂正請求に係る訂正事項ａは、明りょうでない記載の釈明を目的とした明細書の訂正に該当し、訂正事項ｂ及びｃは、上記訂正事項ａと整合を図るものであるから、明りょうでない記載の釈明を目的とした明細書の訂正に該当し、何れも、新規事項の追加に該当せず、実質的に特許請求の範囲を拡張し、変更するものではない。
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正は認められるものである。
２．特許異議申立について
　上記訂正が認められるから、本件の請求項１に係る発明は、訂正請求書に添付した訂正明細書の特許請求の範囲の請求項１に記載された事項により特定されるとおりのものである。
　これに対して、平成１３年１１月５日付けで取消しの理由を通知し、期間を指定して意見書を提出する機会を与えたが、特許権者からは何らの応答もない。
　そして、上記の取消しの理由は妥当なものと認められるので、本件請求項１に係る発明の特許は、この取消しの理由によって取り消すべきものである。
　よって、結論のとおり決定する。
【異議決定日】
平成１４年２月２８日（２００２．２．２８）
【訂正の要旨】
訂正の要旨
　▲１▼訂正事項ａ
　特許請求の範囲に係る記載、
「所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、駆動源の作動によって遊技者に利益を付与可能な普通電動役物と、該普通電動役物の作動条件に関わる作動スイッチが臨む特定検出手段とを配設し、前記普通電動役物と前記始動検出手段とを電気的に独立して作動可能にしたことを特徴とするパチンコ機。」
を、明りょうでない記載の釈明を目的として、
「所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、
　遊技盤には、変動入賞装置を配設すると共に当該変動入賞装置の変換条件に関わる球検出器が臨む始動検出手段と、
　
前記変動入賞装置が
として機能する状態
　
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
　
前記変動入賞装置が前記普通電動役物として機能する状態となっている間においては前記始動検出手段が判別を行わないで無効化するようにしたこと
と訂正する。
　▲２▼訂正事項ｂ
　明細書の〈課題を解決するための手段〉の項、
「本発明は上記に鑑み提案されたもので、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、駆動源の作動によって遊技者に利益を付与可能な普通電動役物と、該普通電動役物の作動条件に関わる作動スイッチが臨む特定検出手段とを配設し、前記普通電動役物と前記始動検出手段とを電気的に独立して作動可能にしたことを特徴とする。」
を、明りょうでない記載の釈明を目的として、
「本発明は上記に鑑み提案されたもので、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、
前記変動入賞装置が
として機能する状態
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
前記変動入賞装置が前記普通電動役物として機能する状態となっている間においては前記始動検出手段が判別を行わないで無効化するようにしたこと
と訂正する。
　▲３▼訂正事項ｃ
　明細書の〈発明の効果〉の項、
「以上要するに本発明は、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、駆動源の作動によって遊技者に利益を付与可能な普通電動役物と、該普通電動役物の作動条件に関わる作動スイッチが臨む特定検出手段とを配設し、前記普通電動役物と前記始動検出手段とを電気的に独立して作動可能にしたので、特別入賞口と一般入賞口を備えた凹室を有する変動入賞装置を設けたパチンコ機において、変動入賞装置と始動検出手段が関連し、普通電動役物と特定検出手段等が関連し、普通電動役物と始動検出手段とは電気的に独立して作動可能なので、パチンコ遊技に厚味がでて、遊技者に飽きられることがなく、且ついたずらに射幸心を煽ることのないパチンコ機を提供する。また、遊技者は、変動入賞装置、普通電動役物等の作動状態を判断し、自己の遊技技術に基づいてより多くの賞球を獲得する技術介入の喜びを得ることができる。更に、本発明に係るパチンコ機は、各部の入賞率の設定等により遊技者と遊技店との利益バランスを図ることも容易となり、ギャンブル性を抑えた健全で且つ興趣に富むパチンコ機を提供することができる。」
を、明りょうでない記載の釈明を目的として、
「以上要するに本発明は、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、
前記変動入賞装置が
として機能する状態
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
前記変動入賞装置が前記普通電動役物として機能する状態となっている間においては前記始動検出手段が判別を行わないで無効化するようにしたので、
と訂正する。
（５４）【発明の名称】
パチンコ機
（５７）【特許請求の範囲】
　所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、
　遊技盤には、変動入賞装置を配設すると共に当該変動入賞装置の変換条件に関わる球検出器が臨む始動検出手段と、
　
前記変動入賞装置が
として機能する状態
　
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
　
前記変動入賞装置が前記普通電動役物として機能する状態となっている間においては前記始動検出手段が判別を行わないで無効化するようにしたこと
【発明の詳細な説明】
〈産業上の利用分野〉
　この発明は、遊技者にとって有利に遊技を進めることのできる利益状態に変換可能なパチンコ機に関する。
〈従来の技術〉
　周知のように、遊技者にとって有利に遊技を進めることのできる利益状態に変換可能なパチンコ機は、従来から数多く提案されており、この種のパチンコ機に用いられる入賞装置は、通常、開閉可能な球受部材によって遊技部と区画される凹室を有し、該凹室には特別の利益状態を創出可能な特別入賞口と普通入賞となる一般入賞口とが設けてある。また、上記凹室には球受部材が開放中に凹室に流入した球を特別入賞口または普通入賞口へ振り分けるために各種の振分手段が収設されている。例えば、特開昭６３−２２９０８２号公報では、傾斜底板を前後方向に揺動させたり、中央の仕切板を上下或いは左右方向に回転させたりして、ストッパー片と共に球を貯留している。また、実開昭６１−６３２７８号公報では、傾斜底板に駆動源により可動する球誘導片を設けて、球が特別入賞口へ入賞し易くなるように誘導可能としている。更に、実開昭６３−７７０８７号公報では、凹室の中段に設けた仕切板を前後方向に回転させて特別入賞口の入賞確率を変化させている。
〈発明が解決しようとする課題〉
　しかしながら、従来の入賞装置、例えば特開昭６３−２２９０８２号公報に記載された入賞装置のように、中央の仕切板が大きく回転するものは動作がダイナミックである。しかし、仕切板の回転のために大きな回転空間が必要となるので、入賞装置自体も大型化し易い。そのため、傾斜底板の動作方向が前後方向の揺動運動に限定されている。また、実開昭６１−６３２７８号公報のものは、球誘導片が常に遊技者に目視されているので、球の誘導方向を予測でき意外性に欠け、パチンコ遊技の興趣が低い。
　そして、従来のパチンコ機においては、遊技者にとって有利な状態になるか不利な状態になるか、見方を変えれば遊技店にとって不利か有利か、２つの状態しか取ることができないので、結局、ギャンブル性が増加し、いたずらに射幸心を煽ることになっているのが現状である。
〈課題を解決するための手段〉
　本発明は上記に鑑み提案されたもので、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、
前記変動入賞装置が
として機能する状態
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
前記変動入賞装置が前記普通電動役物として機能する状態となっている間においては前記始動検出手段が判別を行わないで無効化するようにしたこと
〈作用〉
　遊技盤に配設した始動検出手段と普通電動役物とが、電気的に独立して作動し、遊技者に与える利益が変化する。
〈実施例〉
　以下、本発明を図面の実施例について説明する。
　第１図は変動入賞装置１を配設したパチンコ機２の正面図で、パチンコ機２の概略は、外枠３の一側に内枠４をヒンジ５により開閉可能に蝶着すると共に、上記内枠４に開設した窓部に金枠６を設け、窓部の上方部分には遊技盤７を後方から臨ませ、窓部の下方部分には球を貯留する上受皿８を有する上受皿セットを設け、また内枠４の下方部分には発射杆（図示せず）を回転駆動して球を遊技盤７の表面のガイドレール９で囲まれる遊技部１０内へ打ち込むためのグリップ１１と上受皿８から溢れた球を貯留する下受皿１２等が配設された下受皿セットを設けてなる。
　また、上記遊技盤７のガイドレール９で囲まれた遊技部１０には変動入賞装置１と始動ロスイッチ８４…が臨んで始動検出手段を構成している基板１３に設けた複数の始動口１４…とアウト口１５等が配設され、上記変動入賞装置１の側方位置には特定入賞手段を構成する特定入賞口１６が配設され、更に図示していない多数の障害釘が配設されている。一方、ガイドレール９の外側には、賞球排出表示灯１７や打止め表示灯１８など各種の表示装置が設けてある。
　そして、遊技者が発射した球が変動入賞装置１や始動口１４等に入賞したときには賞球排出装置（図示せず）によって入賞価値に応じた所定数の賞球が上受皿８へ排出され、いずれにも入賞しなかった球はアウト口１５に回収されるように構成されている。
　変動入賞装置１の概略は、遊技盤７の表面に取付ける取付基板１９のほぼ中央に開口部２０を開設し、取付基板１９の表面の上部には複数の天入賞口２１を有する鎧部２２を開口部２０の上縁全幅に亘って突設し、取付基板１９の表面の下部には区画部材２３で区画したポケット状の左右の一般入賞口２４及び特別入賞口２５のための受枠２６を突設する。また、上記一般入賞口２４の左右に流入阻止壁２７を突設し、開口部２０の左右の取付基板１９表面には一対の球受部材２８を回動軸２９により回動自在に軸着する。尚、第１図では、変動入賞装置１における鎧部２２に添設する上飾板と、特別入賞口２５及び一般入賞口２４並びに流入阻止壁２７に添設する下飾板等を省略している。また、上記上飾板には表示窓を設け、この表示窓に後述する継続回数表示灯３２となるいわゆるデジタル表示器を臨ませる。更に、上記取付基板１９には複数の発光ダイオード等を設けて後述する１０カウント表示灯３３を形成する。
　上記取付基板１９の裏側には、前面が開口したリヤケース４１を取付けることにより開口部２０に連通した凹室４２を形成し、上記リヤケース４１の裏面には、電気的制御装置に電気的に接続した駆動源としての開閉用ソレノイド４３を設け、球受部材２８の回動軸２９の端部に嵌着したクランク部材４４のピンを作動板４５の長孔４６内に遊嵌する。
　また、第１図に示したパチンコ機２に配設した変動入賞装置１では、当該変動入賞装置１が遊技者に利益を供与する普通電動役物としても機能するように上記球受部材２８を制御する普通電動役物作動用ソレノイド３０が設けてある。即ち、第２図に示すように、上記開閉用ソレノイド４３の間に球受部材２８の開放角度を制限するための普通電動役物作動用ソレノイド３０を設け、当該ソレノイド３０のプランジャ３１を作動板４５に臨ませ、例えば、この普通電動役物作動用ソレノイド３０を励磁したときに、開閉用ソレノイド４３のストロークが通常時のほゞの半分になるように設定する（第２図破線の状態）。
　従って、上記のような変動入賞装置１によれば、開閉用ソレノイド４３が消磁した状態においては、左右の球受部材２８が戻りスプリング４６の付勢力により各々ほぼ直立状に起立して打球を受け止めない第１状態を維持し、電気的制御装置からの給電により開閉用ソレノイド４３を励磁すると作動板４５が上昇して球受部材２８が第１図において外向きに約９０度近く回動して、第１図に実線で示すように、左右の球受部材２８が外側端部を僅かに高く、対向する内側端部を僅かに低くして停止する第２状態に変換する。そして、開閉用ソレノイド４３を消磁すると、戻りスプリング４６の付勢により球受部材２８が内向きに戻り回動して第１状態に復帰する。また、開閉用ソレノイド４３と普通電動役物作動用ソレノイド３０を同時に励磁すると、当該変動入賞装置１は普通電動役物として機能し、作動板４５の可動巾が制限されて、球受部材２８が充分に開かない第１図に破線で示す状態となる。しかし、この状態においても、遊技者に利益を与えることができる。一方、上記凹室４２の内部中段、即ち、球受部材２８の回動軸２９のやや下方位置には、後方に向いた緩い下り傾斜を有する中仕切棚板４７を設け、凹室４２を上凹室４２ａと下凹室４２ｂとに分割する。上記中仕切棚板４７の後縁とリヤケース４１の後壁との間には球が落下する落下部を設けて、上凹室４２ａと下凹室４２ｂとを連通させる。
　また、凹室４２の下方部分には傾斜した底板部４９を設ける。この底板部４９の傾斜下端には一般入賞口２４及び特別入賞口２５を臨ませ、上凹室４２ａに流入して落下部から下凹室４２ｂに落下した球を、特別入賞口２５または一般入賞口２４へ導く。
　尚、上凹室４２ａまたは下凹室４２ｂ内に、各種の球振分装置や球貯留装置を設けて球の動きに変化を与えるようにしてもよい。
第３図は他の実施例を示すパチンコ機２の正面図であって、この実施例では基板１３に普通電動役物として所謂電動チューリップ４８を設けている。
　この電動チューリップ４８は、第５図ないし第８図に示すように、ベース板３５の前面に打球を受入れるポケット３６と、該ポケット３６の上縁開口縁の左右に一対の回動翼片３７を有している。
　ポケット３６はベース板３５の中央部の下半部に固定され、当該ベース板３５に開設した通孔３５ａに連通し、上方開口部から流入する球をこの通孔３５ａを通して遊技盤の後方へ流出可能に構成してある。そして、前面には飾板３６ａを貼設して上記開口部を覆うと共に、この飾板３６ａに２本の支軸を後方へ向けて植設し、前記回動翼片３７を回動自在に軸支する。
　回動翼片３７は軸支側基端部分に凹部３７ａを設け、該凹部３７ａにベース板３５に開設した透孔を通して後述する揺動部材３８の揺動突起３８ａを遊嵌させる。
上記回動翼片３７を回動させる作動伝達機構３９は電動役物作動用ソレノイド３０の励磁によってスライドするプランジャ３１の直線運動を回動運動に変換させるもので、プランジャ３１と連動杆３９ａと上記した揺動部材３８をピン３９ｂで枢着してなる。尚、連動杆３９ａは電動役物作動用ソレノイド３０の左右に２本配置してあり、揺動部材３８の左右両端に連絡してある。
　また、上記ポケット３６の開口上端には球検出器４０を臨ませ、回動翼片３７の間に流入する球を検出可能とする。
　上記のように構成された普通電動役物としての所謂電動チューリップは、常態において電動役物作動用ソレノイド３０が消磁し、戻りスプリング３１ａの付勢によってプランジャ３１が後退し、揺動部材３８の揺動突起３８ａが上向きとなり（第５図及び第７図）、回動翼片３７は先端を閉じて打球が流入できない遊技者に利益を与えられない状態となっている。一方、電動役物作動用ソレノイド３０を励磁するとプランジャ３１がスライドして連動杆３９ａを介して揺動部材３８が支軸を支点に揺動して揺動突起３８ａを下向きに回動させ、回動翼片３７を開放して、球が流入し易い状態に変換し、遊技者に利益を与えることができる（第８図）。
　尚、この実施例のおける電動チューリップ４８は常態で回動翼片３７の間に球が流入できないように閉じているが、常態時の回動翼片３７の間隔を球１個が通過可能な程度として球の流入が可能なように構成してもよい。また、普通電動役物として電動チューリップ４８を設けた第３図に示す実施例における変動入賞装置１は第４図に示すように電動役物作動用ソレノイドがないだけであるので、前記した実施例と同一符号を付して説明を省略する。
　次に、上記のような構成の変動入賞装置１を配設したパチンコ機２の具体的な遊技及び各部の動作を説明する。
　第９図において、６８はデータの演算等に使用されるＲＡＭ等からなる中央演算処理装置（以下ＣＰＵという）、６９はＣＰＵ６８に所定のパルスを供給するクロック回路、７０はＣＰＵ６８をリセットするリセット回路、７１は電源投入時にＣＰＵ６８等を初期状態とする電源リセット回路、７２は上記リセット回路７０に所望のパルスを供給するための分周回路、７３は上記ＣＰＵ６８を作動させるためのプログラム及びデータが格納されているメモリー（以下ＰＲＯＭという）、７４は入出力制御装置、７５は継続入賞球検出回路、７６は始動入賞球検出回路、７７は１０カウント検出回路、７８は開閉用ソレノイド駆動回路、７９は普通電動役物を駆動する普通電動役物駆動回路、８１はランプ駆動回路、８２は電子音回路、８３は各種表示灯を点灯するＬＥＤ駆動回路である。更に、８４ａ，８４ｂは各始動口１４ａ，１４ｂに設けた始動口スイッチ、８５は１０カウントスイッチ、８６は特定入賞球検出回路、８７は特定検出手段の作動スイッチ、８８は継続入賞スイッチである。
　電源の投入によりＣＰＵ６８はＲＡＭのクリヤーや各部のチェック等のステップ１の初期設定を行ない、異常がなければパチンコ遊技を開始する。
遊技者が発射した打球が、アウト口１５の上方の遊技部１０に形成した第１始動口１４ａまたは第２始動口１４ｂに流入すると、当該第１始動口１４ａに臨ませた第１始動口スイッチ８４ａ（第１０図においては始動ＳＷと略記する）または第２始動口１４ｂに臨ませた第２始動口スイッチ８４ｂ（第１０図においては始動ＳＷと略記する）が流入した球を検出するので、ＣＰＵ６８はステップ２において始動口スイッチ８４ａ，８４ｂのオン・オフを判別し、始動口スイッチ８４…がオンならばステップ３に進み、オフならばステップ１０１へ進み、普通電動役物の作動条件を判別する。即ち、特定入賞球検出回路８６を介して特定入賞口１６に臨ませた作動スイッチ８７のオン・オフを判別し、オフならばステップ２へ戻る。
　一方、作動スイッチ８７がオンならば、ステップ１０２へ分岐し、普通電動役物を例えば６秒間作動させる。即ち、第１図に示すパチンコ機２においては、開閉用ソレノイド４３と普通電動役物作動用ソレノイド３０とを普通電動役物駆動回路７９を介して共に励磁することにより、球受部材２８を第１図に破線で示すように小開きとする。また、第３図に示すように所謂電動チューリップ４８を設けたパチンコ機２においては当該電動チューリップ４８の電動役物作動用ソレノイド３０を励磁することにより、回動翼片３７を開放する。
そして、次のステップ１０３では、開放中の電動役物、即ち小開きの球受部材２８また電動チューリップ４８の回動翼片３７の開放時間が６秒間経過したかを判別し、６秒間経過するまでステップ１０３で待機し、６秒間経過するとステップ２へ復帰する。
　尚、上記普通電動役物が作動中は始動口スイッチ８４ａ，８４ｂの判別を行なわないようにしてあるので、実質的に始動口スイッチ８４ａ，８４ｂは無効化されている。
ステップ３においてＣＰＵ６８は、第１始動口スイッチ８４ａまたは第２始動口スイッチ８４ｂのオンにより、開閉用ソレノイド駆動回路７８に駆動信号を送出して開閉用ソレノイド４３を所定間隔、所定回数励磁して球受部材２８を所定時間開放する共に、ＲＡＭ内の１０カウントカウンタ及び継続カウントカウンタをクリヤーする。尚、第１始動口スイッチ８４ａの場合は０．７秒２回、第２始動口スイッチ８４ｂの場合は０．４秒１回、球受部材２８を開放するように設定してある。
　球受部材２８が外向きに回動して凹室４２が遊技部１０と連通している開放中に遊技部１０を流下する球が球受部材２８によって上凹室４２内に取り込まれると、この球は中仕切棚板４７の上面を落下部に向けて転動し、落下部から下凹室４２に入り、球は底板部４９上を転動して特別入賞口２５か、または左右の一般入賞口２４に入球する。
　上記のようにして凹室４２へ流入した球が運良く特別入賞口２５に入球すると、当該特別入賞口２５に臨ませた継続入賞スイッチ８８（第１０図においては継続ＳＷと略記する）がオンする。このとき、ＣＰＵ６８はステップ４において継続入賞スイッチ８８のオン・オフを判別しており、継続入賞スイッチ８８がオンならば、遊技者にとって特別利益状態となる特別遊技に移行するため、ステップ５において球受部材２８を直ちに起立させ、ステップ６において各始動口１４の始動口スイッチ８４を無効化する。
　特別遊技が開始すると、ＣＰＵ６８はステップ７で継続カウントカウンタを＋１する。尚、このときのカウント値、即ち継続回数はＬＥＤ駆動回路８３を介して継続回数表示灯３２により遊技者に可視表示される。尚、継続回数が２桁になる場合は、表示色を変えて各桁を表示したり、点灯と点滅や点滅間隔の相違で識別するようにするとよい。勿論２桁の継続回数表示灯３２を設けてもよい。
　そして、ステップ８において１０カウントカウンタをクリアし、ステップ９において球受部材２８を所定時間内に所定回数、例えば約２８．５秒間に１８回開閉させることを１サイクルとする１８回開閉動作処理を開始する。
　そして、ステップ１０で継続入賞スイッチ８８のオン・オフを判定し、オンならばステップ１１へ進む。このステップ１１では継続カウントカウンタのカウント値を判別し、例えば『１５』以下の場合はステップ７へ戻る。従って、特別遊技の１サイクルを１６回繰り返す。一方、上記カウント値、即ち継続回数が１６回の場合は、ステップ１２に進んで継続入賞スイッチ８８を無効化し、ステップ１３及びステップ１４においては、特別遊技の終了条件を判別する。即ち、ステップ１０において継続入賞スイッチ８８がオフの場合は、ステップ１３で凹室４２に流入した球数を１０カウントスイッチ８５によりカウントし、カウント値が『９』以下ならばステップ１４に進んで球受部材２８の開閉回数を判別し、カウント値が『１０』ならばステップ１５に進んで１８回開閉動作処理を終了する。そして、ステップ１６では無効にした各始動口スイッチ８４…を有効にし、新たに始動口１４…への入球を待つステップ２に戻る。尚、上記カウント値は変動入賞装置１の取付基板１９に設けた１０カウント表示灯３３をＬＥＤ駆動回路８３を介して点灯させることにより遊技者に可視表示する。
　一方、球受部材２８の始動口スイッチ８４…による１回または２回の開放中に特別入賞口２５への入球がない場合、即ち、ステップ４において継続入賞スイッチ８８がオフの場合には、ステップ１７に分岐して球受部材２８の開放終了を待ち、ステップ１８において特別入賞口２５即ち継続入賞スイッチ８８の有効タイマをスタートさせる。この有効時間は例えば球受部材２８の閉止後約３秒間である。そして、ステップ１９においては、この有効時間内に再び始動口１４…への入球があるかどうかを判別し、入球があって始動口スイッチ８４…がオンしたならばステップ３に復帰し、始動口スイッチ８４…がオフならば次のステップ２０で継続入賞スイッチ８８のオン・オフを判別し、オンならばステップ５に復帰し、オフならば次のステップ２１に進む。ステップ２１では継続入賞スイッチ８８の有効タイマの終了を判別し、終了前ならばステップ１９との間でループし、有効時間が終了したならばステップ２に復帰する。特別遊技中及び始動口スイッチ８４…のオンから継続入賞スイッチ８８の有効タイマが終了するまでの間は、特定検出手段の作動スイッチ８７のオン・オフの判別を行なわないようにしてあるので、実質的に作動スイッチ８７は無効化されている。
　尚、ＣＰＵ６８は、他に電子音回路８２を作動させて各始動口１４…への入球を知らせる効果音を発生させると共に、ランプ駆動回路８１を作動させて、ランプ群からなる表示灯を点灯ないし点滅させて、始動口１４への入球を視覚的に表示すると共に、聴覚的にも表示する。また、凹室４２に設けた特別入賞口２５に球が入賞すると、このときにも、ランプ駆動回路８１や電子音回路８２を駆動してランプ群からなる表示灯を点灯、点滅させて可視表示すると共に、上記始動口１４…への入球とは異なる効果音を発生させ、遊技の雰囲気を盛り上げる。更に、普通電動役物の開放中は、上記した場合と異なる態様で、視覚的、聴覚的に表示を行なう。また、本発明の第３図及び第４図に示すパチンコ機２は、電動チューリップ４８を第１始動口１４ａとして機能させる第１１図ないし第１２図に示すフローチャートに従う以下の遊技を行なうこともできる。
　即ち、第１１図に示すメインルーチンにおいて、電源の投入によりＣＰＵ６８はＲＡＭのクリヤーや各部のチェック等のステップ１の初期設定を行ない、異常がなければパチンコ遊技を開始する。
　一方、第１２図に示す割込処理では、遊技盤に設けた特定入賞口１６に臨ませた作動スイッチ８７、或いは遊技盤に配設した所謂チャッカー等、通過型の検出器からなる作動スイッチのオンにより、普通電動役物としての電動チューリップ４８を作動させて打球を受け入れ易い状態に変換するようにしたものである。
　即ち、この普通電動役物の作動は、ＣＰＵ６８に周期的に入力されるクロック回路６９のパルスにより作動する割込処理により制御される。この割込処理では、まず、ステップ１００１において遊技盤に配設した特定入賞口１６の作動スイッチ８７のオン・オフを監視し、オンされていなければ当該割込処理を終了し、オンされているならば、ステップ１００２で普通電動役物が作動中かどうか、即ち開放中かどうかを判別する。普通電動役物が作動中の場合は作動スイッチ８７がオンしても、これによる開放は行なわれないので割込処理を終了する。一方、普通電動役物が作動中でない場合には、ステップ１００３において普通電動役物作動処理を行ない、当該普通電動役物としての所謂電動チューリップ４８の作動用ソレノイド３０を普通電動役物駆動回路７９を介して例えば６秒間励磁し、回動翼片３７を６秒間開放し、開放終了後当該割込処理を終了する。従って、この電動チューリップ４８が開放しているあいだは、第１始動口１４ａに打球が入球し易く、特別遊技への移行が容易になり、遊技者にとって有利となる。
　そして、遊技者が発射した打球が、アウト口１５の上方の電動チューリップ４８からなる第１始動口１４ａまたは第２始動口１４ｂに流入すると、当該第１始動口１４ａに臨ませた即ち電動チューリップに設けた球検出器４０からなる第１始動口スイッチ８４ａ（以下、単に第１始動スイッチ８４ａという。また第１１図においては始動ＳＷと略記する）または第２始動口１４ｂに臨ませた第２始動口スイッチ８４ｂ（第１１図においては始動ＳＷと略記する）が流入した球を検出するので、ＣＰＵ６８はステップ２において始動口スイッチ８４ａ，８４ｂのオン・オフを判別し、始動口スイッチ８４…がオンならばステップ３に進み、オフならばステップ２において待機する。
　ステップ３においてＣＰＵ６８は、第１始動口スイッチ８４ａまたは第２始動口スイッチ８４ｂのオンにより、開閉用ソレノイド駆動回路７８に駆動信号を送出して開閉用ソレノイド４３を所定間隔、所定回数励磁して球受部材２８を所定時間開放する共に、ＲＡＭ内の１０カウントカウンタ及び継続カウントカウンタをクリヤーする。尚、第１始動口スイッチ８４ａの場合は０．７秒２回、第２始動口スイッチ８４ｂの場合は０．４秒１回、球受部材２８を開放するように設定してある。
　球受部材２８が外向きに回動して凹室４２が遊技部１０と連通している開放中に遊技部１０を流下する球が球受部材２８によって上凹室４２ａ内に取り込まれると、この球は中仕切棚板４７の上面を落下部に向けて転動し、落下部から下凹室４２ｂに入り、球は底板部４９上を転動して特別入賞口２５か、または左右の一般入賞口２４に入球する。
　上記のようにして凹室４２へ流入した球が運良く特別入賞口２５に入球すると継続入賞スイッチ８８（第１１図においては継続ＳＷと略記する）がオンする。このとき、ＣＰＵ６８はステップ４において継続入賞スイッチ８８のオン・オフを判別しており、継続入賞スイッチ８８がオンならば、遊技者にとって特別利益状態となる特別遊技に移行するため、ステップ５において球受部材２８を直ちに起立させ、ステップ７において各始動口１４の始動口スイッチ８４を無効化する。
　特別遊技が開始すると、ＣＰＵ６８はステップ７で継続カウントカウンタを＋１する。尚、このときのカウント値、即ち継続回数はＬＥＤ駆動回路８３を介して継続回数表示灯３２により遊技者に可視表示される。尚、継続回数が２桁になる場合は、表示色を変えて各桁を表示したり、点灯と点滅や点滅間隔の相違で識別するようにするとよい。勿論２桁の継続回数表示灯３２を設けてもよい。
　そして、ステップ８において１０カウントカウンタをクリアし、ステップ９において球受部材２８を所定時間内に所定回数、例えば約２８．５秒間に１８回開閉させることを１サイクルとする１８回開閉動作処理を開始する。
　そして、ステップ１０で継続入賞スイッチ８８のオン・オフを判定し、オンならばステップ１１へ進む。このステップ１１では継続カウントカウンタのカウント値を判別し、例えば『１５』以下の場合はステップ７へ戻る。従って、特別遊技の１サイクルを１６回繰り返す。一方、上記カウント値、即ち継続回数が１６回の場合は、ステップ１２に進んで継続入賞スイッチ８８を無効化し、ステップ１３及びステップ１４においては特別遊技の終了条件を判別する。即ち、ステップ１０において継続入賞スイッチ８８がオフの場合は、ステップ１３で凹室４２に流入した球数を１０カウントスイッチ８５によりカウントし、カウント値が『９』以下ならばステップ１４に進んで球受部材２８の開閉回数を判別し、カウント値が『１０』ならばステップ１５に進んで１８回開閉動作処理を終了する。そして、ステップ１６では無効にした各始動口スイッチ８４…を有効にし、新たに始動口１４…への入球を待つステップ２に戻る。尚、上記カウント値は変動入賞装置１の取付基板１９に設けた１０カウント表示灯３３をＬＥＤ駆動回路８３を介して点灯させることにより遊技者に可視表示する。
　一方、球受部材２８の始動口スイッチ８４…による１回または２回の開放中に特別入賞口２５への入球がない場合、即ち、ステップ４において継続入賞スイッチ８８がオフの場合には、ステップ１７に分岐して球受部材２８の開放終了を待ち、ステップ１８において特別入賞口２５即ち継続入賞スイッチ８８の有効タイマをスタートさせる。この有効時間は例えば球受部材２８の閉止後約３秒間である。そして、ステップ１９においては、この有効時間内に再び始動口１４…への入球があるかどうかを判別し、入球があって始動口スイッチ８４…がオンしたならばステップ３に復帰し、始動口スイッチ８４…がオフならば次のステップ２０で継続入賞スイッチ８８のオン・オフを判別し、オンならばステップ５に復帰し、オフならば次のステップ２１に進む。ステップ２１では継続入賞スイッチ８８の有効タイマの終了を判別し、終了前ならばステップ１９との間でループし、有効時間が終了したならばステップ２に復帰する。
　上記のような遊技によれば、特定検出手段の作動スイッチのオンを条件として、始動口の一部が打球が入賞し易いように変換するので、遊技に厚みがでて、単に始動口ヘの入球によって変動入賞装置を遊技者に有利に変換するパチンコ機に比べ飽きることがないし、いたずらに射幸心を煽ることもない。
　以上、本発明を図面の実施例について説明したが、本発明は上記した実施例に限定されるものではなく、特許請求の範囲に記載した構成を変更しない限り適宜に実施できる。例えば、特定検出手段として、打球を遊技盤の後方へ取り込む入賞口形式のものを図示しているが、打球を作動スイッチで検出したあとも遊技部内の流下を続けることのできる所謂通過チャッカー、或いはゲート形式のものでもよい。
〈発明の効果〉
　以上要するに本発明は、所定条件の成立した場合に、駆動源によって球受部材が作動して遊技者にとって不利な状態から有利な状態に変換可能な変動入賞装置と、当該変動入賞装置を電気的に制御する電気的制御手段とを少なくとも備えたパチンコ機において、遊技盤には、変動入賞装置を配設すると共に当該変動入賞装置の変換条件に関わる球検出器が臨む始動検出手段と、
前記変動入賞装置が
として機能する状態
前記作動スイッチのオンに基づいて前記駆動源とは別の普通電動役物作動用の駆動源が前記駆動源と同時に作動することによって前記球受部材が開放角度を制限されて作動し前記変動入賞装置が前記有利な状態とは別に遊技者に利益を付与可能な普通電動役物として機能する状態にし
前記変動入賞装置が前記普通電動役物として機能する状態となっている間においては前記始動検出手段が判別を行わないで無効化するようにしたので、
【図面の簡単な説明】
　図面は本発明の実施例を示し、第１図はパチンコ機の正面図、第２図は上記パチンコ機に配設した変動入賞装置の背面図、第３図は他の実施例によるパチンコ機の正面図、第４図は同上のパチンコ機に配設した変動入賞装置の背面図、第５図は普通電動役物の一例としての電動チューリップの正面図、第６図は同上の横断面図、第７図は回動翼片が閉止した状態の第５図におけるＶＩＩ−ＶＩＩ線断面図、第８図は回動翼片が開放した状態の第５図におけるＶＩＩＩ−ＶＩＩＩ線断面図、第９図は電気的制御手段のブロック図、第１０図ないし第１２図は夫々各実施例のフローチャートである。
　１…変動入賞装置、２…パチンコ機、１４…始動口、２４…一般入賞口、２５…特別入賞口、２８…球受部材、４８…普通電動役物としての電動チューリップ、８７…特定検出手段の作動スイッチ。